(57)【特許請求の範囲】
【請求項１】
インピーダンスボンドの電流測定値および測定時刻情報を含む電流測定データを取得する電流測定データ取得手段と、前記電流測定データを画面に表示させる画面表示手段とを具備した帰線電流解析装置において、
前記画面に表示される線路図を定めた線路図データと、前記線路図データの定める線路図において前記電流測定データの電流測定値を表示すべき位置を定めた表示位置データとを備え、前記画面表示手段が、前記線路図データに基づいて前記画面に線路図を表示するとともに、前記表示位置データに基づいて前記電流測定データの電流測定値を前記画面に表示するようになっており、更に、
前記画面表示手段が前記表示位置データに基づいて前記電流測定データの電流測定値を前記画面に表示するに際して前記電流測定データの測定時刻情報に基づく変動グラフで表示するのか或いは前記線路図データに基づいて線路図と共に表示するのかを選択しうる表示タイプ選択手段と、前記表示タイプ選択手段によって変動グラフでの表示が選択されているとき該表示に基づいて時間帯を指定しうる時間帯指定手段とを備え、前記画面表示手段が、前記表示タイプ選択手段によって線路図での表示が選択されているとき前記画面に表示する前記電流測定データの電流測定値を前記時間帯指定手段で指定された時間帯に亘って更新するようになっている、ことを特徴とする帰線電流解析装置 。
【請求項２】
前記線路図データの定める線路に係る軌道回路に基づく列車検知結果および検知時刻情報を含む軌道状態データを取得する軌道状態取得手段を備え、前記画面表示手段が、前記電流測定データを線路図と共に画面表示する際に前記軌道状態データのうち時刻の対応するものをも画面表示するようになっていることを特徴とする請求項１に記載された帰線電流解析装置。
【請求項３】
前記インピーダンスボンドの定格電流値をデータ保持しており、前記インピーダンスボンドに係る一対の電流測定値が前記電流測定データに含まれているときに、前記一対の電流測定値についてその差と前記定格電流値との比を不平衡耐量として算出するようになっていることを特徴とする請求項１又は請求項２に記載された帰線電流解析装置。
【請求項４】
軌道回路の各端部に係る電流測定値が前記電流測定データに含まれているときに、前記軌道回路の各端部を介して該軌道回路に流入する電流と流出する電流との差を前記電流測定値から算出して該軌道回路の対地総漏れ量とするようになっている、ことを特徴とする請求項１乃至請求項３の何れかに記載された帰線電流解析装置。
【発明の詳細な説明】
【技術分野】
【０００１】
この発明は、鉄道設備の軌道回路の状態を把握するために軌道回路の端部のインピーダンスボンドの両端の電流測定値に基づいて軌道回路を流れる帰線電流の状況を解析する解析装置に関する。また、そのような帰線電流の状況を見やすく表示することで帰線電流ひいては軌道回路の状態の解析・解釈に資する帰線電流解析装置にも関する。
【背景技術】
【０００２】
列車の在線を検知する装置である軌道回路の故障要因の一つに、架線から電車を経由して変電所に流れる帰線電流がある。帰線電流による故障の具体例を挙げると、帰線電流は左右レールを通って流れるところ、この電流量が左右均等であれば問題無いが、偏って流れた場合、帰線電流と軌道回路に使用している電流を区分するインピーダンスボンド内鉄心が飽和して、軌道回路が不所望に落下し、列車へ進行を指示する信号機が赤になってしまう。また、帰線電流が左右レールに平衡に流れていたとしても、上り線と下り線といった線路別に偏って流れてしまい、インピーダンスボンド内鉄心が飽和してしまう場合もある。その他にも、鉄橋や踏切道上で帰線電流が大地に漏れることが故障原因になる場合もある。
【０００３】
このような帰線電流による故障原因調査を行うにあたって、現在、使用している帰線電流解析装置は（例えば特許文献１のデータ解析処理装置を参照）、複条軌道の線路内で左右の各軌条（レール）に分かれて流れる帰線電流（電車電流）を列車検知区間の端部である軌道回路の端部に設けられたインピーダンスボンドの左右一対のレール接続用ケーブルの所で測定するとともにその一対の電流測定値と測定時の時刻情報とを組み合わせて電流測定データにする帰線電流測定部（携帯用データ記録装置）とともに使用されるものであり、この帰線電流測定部からメモリカード等にて測定継続時間内の一連の電流測定データを取得して、不平衡率Δαの計算や一つの変動グラフの表示などを行うようになっている。
【０００４】
帰線電流（電車電流）と軌道回路とインピーダンスボンドとの基本的な関係や，典型的なインピーダンスボンドの定格電流などは、公知である（例えば非特許文献１参照）。
また、軌道回路を利用して列車検知区間（軌道回路区間）における列車の有無（在線／非在線）を判定する手法について、軌道リレーの出力状態に応じて落下（在線）／扛上（非在線）という二択で行う直接的判定が公知である他、連動装置などに組み込まれた軌道回路状態判定手段にて車両追跡を行うことにより各状態を細分化した謂わば論理的判定も公知であり（例えば非特許文献２や特許文献２図２を参照）、後者の論理的判定は、確定落下／不正落下／確定扛上／不確定扛上／不正扛上という五択で行われている。
【先行技術文献】
【特許文献】
【０００５】
【特許文献１】特開２００３−１９９５７号公報
【特許文献２】特願２０１４-１９１３４５号［出願］
【非特許文献】
【０００６】
【非特許文献１】鉄道電気技術者のための信号概論「軌道回路」改訂版２刷、社団法人日本鉄道電気技術協会、平成１７年５月２０日発行、ｐ．４５−７６
【非特許文献２】鉄道電気技術者のための信号概論「連動装置」改訂２版、社団法人日本鉄道電気技術協会、平成１６年７月１日発行、ｐ．１４６−１４７
【発明の概要】
【発明が解決しようとする課題】
【０００７】
ところで、上述した従来の帰線電流解析装置では、変動グラフを画面に表示する際、測定した電流値や算出した不平衡率などを時間軸に沿って表示するにとどまっていた。
そのため、測定対象のインピーダンスボンドが一台であれば、その局所における帰線電流の変動状態を目視で把握することができた。
しかしながら、測定対象のインピーダンスボンドが増えて複数になると、それらの相互関係まで把握したくなるが、変動グラフを並べて表示する程度の安直な対処では、相互関係まで把握するのが容易であるとは言い難い。
【０００８】
特に駅構内など軌道の複雑な所については、例え測定対象のインピーダンスボンドが一台だけであったとしても、そこへの帰線電流の流入出が一本道とは限らないため、変動グラフだけでは、周囲の軌道との関連性まで把握するのが困難になることが多いうえ、測定対象のインピーダンスボンドが複数になると解析者の負担が激増する。
そこで、軌道を流れる帰線電流の測定結果に係る表示の視認性を高めて、測定対象箇所だけでなくその周囲の軌道についても状況把握が容易な表示を行う帰線電流解析装置を実現することが、第１課題となる。
【０００９】
また、帰線電流は列車から軌道へ流れるものなので、帰線電流の大きさや経路さらには帰線電流の軌道回路への影響は、列車の位置によっても大きく変化するが、変動グラフを表示する程度では、列車と帰線電流との関連性を把握するのも容易ではなかった。
そこで、表示の視認性を更に高めて、測定対象箇所や近辺の列車在線状態についても状況把握が容易な表示を行う帰線電流解析装置を実現することが、第２課題となる。
【００１０】
さらに、既述した従来の帰線電流解析装置では、帰線電流の測定値（一次物理量，一次データ）から演算にて得られる解析値（二次物理量，二次データ）として、不平衡率を算出していた。
しかしながら、インピーダンスボンドが正常に作動する最大の電流や限界の不平衡率は機種によって異なる。一方、帰線電流が軌道回路の不正動作や不安定状態を引き起こす度合いは、インピーダンスボンド内鉄心の飽和の限界値への接近状況が支配的であろうと考えられる。このため、不平衡率を調べる遣り方だけでは、インピーダンスボンドの機種が異なると経験の活用が難しかった。
そこで、不平衡率よりも機種依存性の高い物理量を算出する帰線電流解析装置を実現することが、第３課題となる。
【００１１】
また、解析対象の軌道回路が多く更にはそれらの端部のインピーダンスボンドが多くても複数の帰線電流測定部が使えて多くのインピーダンスボンドについて帰線電流が測定できる環境下では、帰線電流を同時に測定できる箇所も多くなるので、軌道回路の端部の解析値にとどまらず、軌道回路の全体的な状態を把握したり推定したりするのに役立つであろう解析値（二次物理量，二次データ）も得られれば解析性能・解析支援機能が向上するので好都合である。
そこで、軌道回路の端部におけるインピーダンスボンドの電流測定値から軌道回路の広範部に係る解析値を算出する帰線電流解析装置を実現することが、第４課題となる。
【課題を解決するための手段】
【００１２】
本発明の帰線電流解析装置は（解決手段１）、上記の第１課題を解決するために創案されたものであり、インピーダンスボンドの電流測定値および測定時刻情報を含む電流測定データを取得する電流測定データ取得手段と、前記電流測定データを画面に表示させる画面表示手段とを具備した帰線電流解析装置において、前記画面に表示される線路図を定めた線路図データと、前記線路図データの定める線路図において前記電流測定データの電流測定値を表示すべき位置を定めた表示位置データとを備え、前記画面表示手段が、前記線路図データに基づいて前記画面に線路図を表示するとともに、前記表示位置データに基づいて前記電流測定データの電流測定値を前記画面に表示するようになっている、ことを特徴とする。
【００１３】
また、本発明の帰線電流解析装置は（解決手段２＝補正後の請求項１）、上記の第１課題を高度に解決するために創案されたものであり、上記解決手段１の帰線電流解析装置であって、前記画面表示手段が前記表示位置データに基づいて前記電流測定データの電流測定値を前記画面に表示するに際して前記電流測定データの測定時刻情報に基づく変動グラフで表示するのか或いは前記線路図データに基づいて線路図と共に表示するのかを選択しうる表示タイプ選択手段と、前記表示タイプ選択手段によって変動グラフでの表示が選択されているとき該表示に基づいて時間帯を指定しうる時間帯指定手段とを備え、前記画面表示手段が、前記表示タイプ選択手段によって線路図での表示が選択されているとき前記画面に表示する前記電流測定データの電流測定値を前記時間帯指定手段で指定された時間帯に亘って更新するようになっている、ことを特徴とする。
【００１４】
さらに、本発明の帰線電流解析装置は（解決手段３）、上記の第１，第２課題を解決するために創案されたものであり、上記解決手段１，２の帰線電流解析装置であって、前記線路図データの定める線路に係る軌道回路に基づく列車検知結果および検知時刻情報を含む軌道状態データを取得する軌道状態取得手段を備え、前記画面表示手段が、前記電流測定データを線路図と共に画面表示する際に前記軌道状態データのうち時刻の対応するものをも画面表示するようになっていることを特徴とする。
【００１５】
また、本発明の帰線電流解析装置は（解決手段４）、上記の第１，第３課題を解決するために創案されたものであり、上記解決手段１〜３の帰線電流解析装置であって、前記インピーダンスボンドの定格電流値をデータ保持しており、前記インピーダンスボンドに係る一対の電流測定値が前記電流測定データに含まれているときに、前記一対の電流測定値についてその差と前記定格電流値との比を不平衡耐量として算出するようになっている、ことを特徴とする。
【００１６】
また、本発明の帰線電流解析装置は（解決手段５）、上記の第１，第４課題を解決するために創案されたものであり、上記解決手段１〜４の帰線電流解析装置であって、軌道回路の各端部に係る電流測定値が前記電流測定データに含まれているときに、前記軌道回路の各端部を介して該軌道回路に流入する電流と流出する電流との差を前記電流測定値から算出して該軌道回路の対地総漏れ量とするようになっている、ことを特徴とする。
【００１７】
また、本発明の帰線電流解析装置は（解決手段６）、上記の第４課題を解決するために創案されたものであり、軌道回路の各端部のインピーダンスボンドの電流測定値および測定時刻情報を含む電流測定データを取得しうる電流測定データ取得手段と、前記軌道回路の各端部を介して該軌道回路に流入する電流と流出する電流との差を前記電流測定値から算出して該軌道回路の対地総漏れ量とする対地総漏れ量算出手段と、前記電流測定データに加えて前記対地総漏れ量算出手段の算出した対地総漏れ量をも画面に表示させる画面表示手段とを備えている。
【００１８】
また、本発明の帰線電流解析装置は（解決手段７）、上記の第３課題を解決するために創案されたものであり、インピーダンスボンドに係る一対の電流測定値および測定時刻情報を含む電流測定データを取得しうる電流測定データ取得手段と、前記インピーダンスボンドの定格電流値をデータ保持する手段と、前記電流測定データに含まれている一対の電流測定値についてその差と前記定格電流値との比を不平衡耐量として算出する不平衡耐量算出手段と、前記電流測定データに加えて前記不平衡耐量算出手段の算出した不平衡耐量をも画面に表示させる画面表示手段とを備えている。
【発明の効果】
【００１９】
このような本発明の帰線電流解析装置にあっては（解決手段１）、測定状況に応じて画面表示用の線路図データ及び表示位置データを調えれば、帰線電流の測定値が線路図に重ねて画面表示される。これにより、軌道を流れる帰線電流の測定結果に係る表示の視認性が高まる。特に空間的な視認性が高まるので、測定対象箇所の軌道回路の端部だけでなく、それに連なる軌道回路の中央部や近隣の軌道回路についても、状況把握が容易になる。
したがって、この発明によれば、測定対象箇所だけでなくその周囲の軌道についても状況把握が容易な表示を行う帰線電流解析装置を実現することができる。
【００２０】
また、本発明の帰線電流解析装置にあっては（解決手段２）、従来のグラフ表示と新たな線路図上表示とが選択切替可能になるのに加えて、従来のグラフ表示を利用して簡便に時間帯を指定でき、更にその時間帯に亘る時間経過表示を線路図上表示に適用することができる。これにより、線路図上に表示される帰線電流の電流測定値が、調べたい時間帯に亘って自動で時々刻々変化する。そのため、軌道を流れる帰線電流の測定結果に係る表示について、空間的にも時間的にも同時に視認性が高まるので、状況把握がより容易になる。
したがって、この発明によれば、測定対象箇所だけでなくその周囲の軌道についても更には時間経過に関しても状況把握が容易な表示を行う帰線電流解析装置を実現することができる。
【００２１】
さらに、本発明の帰線電流解析装置にあっては（解決手段３）、帰線電流に係る新たな線路図上表示に際して、軌道回路の端部の電流測定値に加え、既述した直接的判定による落下／扛上の二択や論理的判定による確定落下／不正落下／確定扛上／不確定扛上／不正扛上の五択などで示される軌道回路の状態も、画面表示される。
そして、そのような軌道回路の状態は軌道回路単位での列車検知結果なので、帰線電流の測定値の目視確認に伴って自然に列車の在線状態も目に入って来ることとなる。
したがって、この発明によれば、測定対象箇所や近辺の列車在線状態についても状況把握が容易な表示を行う帰線電流解析装置を実現することができる。
【００２２】
また、本発明の帰線電流解析装置にあっては（解決手段４，７）、インピーダンスボンドの一対の電流測定値と定格電流値とから不平衡耐量算出手段によって不平衡耐量が算出されることにより、判定基準がインピーダンスボンドの定格を考慮したものとなる。
なお、不平衡率は左右レールに流れる帰線電流に着目した指標であるのに対し、不平衡耐量は帰線電流によるインピーダンスボンド内鉄心の限界値に着目した指標であるため、不平衡耐量を表示するシステム上では、必須ではないが同指標（不平衡耐量）の他に従来の不平衡率も表示するのが好ましい。
したがって、この発明によれば、不平衡率よりも機種依存性の高い物理量として不平衡耐量を算出する帰線電流解析装置を実現することができる。
【００２３】
また、本発明の帰線電流解析装置にあっては（解決手段５，６）、軌道回路の各端部に付設されたインピーダンスボンドから得られた複数の電流測定値から対地総漏れ量算出手段によって対地総漏れ量が算出されるが、この対地総漏れ量は、軌道回路の内部蓄電が無いとしたときの境界条件に基づき軌道回路の各端部の電流測定値から総和や加減算などで簡便に求めうるものでありながら、軌道回路の全域から大地へ漏れる電流を的確に示すものである。
したがって、この発明によれば、軌道回路の広範部に係る解析値として、軌道回路の端部の電流測定値から対地総漏れ量を算出する帰線電流解析装置を実現することができる。
【図面の簡単な説明】
【００２４】
【図１】本発明の実施例１について、帰線電流解析装置の構造を示し、（ａ）が帰線電流解析装置に帰線電流測定部を組み合わせた帰線電流測定解析システムの概要を示すブロック図、（ｂ）が帰線電流解析装置のプログラム及びデータのブロック図である。
【図２】線路図データの構造と設定を示し、（ａ）が線路図上の点位置を設定するときの画面イメージとデータ構造図、（ｂ）が線路図の線データを設定するときの画面イメージとデータ構造図である。
【図３】線路図データの構造と設定を示し、（ａ）が線路図上の境界位置データを設定するときの画面イメージとデータ構造図、（ｂ）が線路図の区間データを設定するときの画面イメージとデータ構造図である。
【図４】（ａ）が線路図データに含まれる軌道回路規定データを設定するときの画面イメージとデータ構造図、（ｂ）が表示位置データに含まれる電流測定値表示位置データと軌道状態表示位置データと対地総漏れ量表示位置データと不平衡表示位置データとに係るデータ構造図である。
【図５】表示位置データに基づく各種データの表示画面のイメージを示し、（ａ）が線路図全体に係る画面イメージ、（ｂ）が一部拡大の画面イメージである。
【図６】電流測定データ等の取得時の画面イメージの変遷を示し、（ａ）〜（ｅ）何れも一部拡大の画面イメージである。
【図７】データ取得後の表示画面イメージを示し、（ａ）が線路図全体に係る画面イメージ、（ｂ）がその一部を拡大した画面イメージ、（ｃ）がグラフ表示の画面イメージである。
【図８】データ取得後のグラフ表示の画面イメージを示し、（ａ）が閾値ラインを用いて時間帯を指定しているところ、（ｂ）が軌道状態を利用して時間帯を指定しているところである。
【図９】本発明の実施例２について、（ａ）が線路図の一部、（ｂ）が軌道回路規定データの一部である。
【図１０】本発明の実施例３について、（ａ）が線路図の一部、（ｂ）と（ｃ）が軌道回路規定データの一部である。
【発明を実施するための形態】
【００２５】
本発明の帰線電流解析装置について、これを実施するための具体例を、以下の実施例１〜実施例３により説明する。
図１〜図８に示した実施例１は、上述した解決手段１〜７（出願当初の請求項１〜７）を総てを具現化したものであり、図９に示した実施例２や、図１０に示した実施例３は、その変形例であって、上述した解決手段５，６の対地総漏れ量算出手段の別態様に係るものである。
なお、それらの図示に際しては、簡明化等のため、ブロック図を多用して発明の説明に必要なものや関連するものを中心に図示した。
【実施例１】
【００２６】
本発明の帰線電流解析装置の実施例１について、その具体的な構成を、図面を引用して説明する。図１は、（ａ）が帰線電流解析装置１０に帰線電流測定部４や軌道回路部７を組み合わせた帰線電流測定解析システムの概要を示すブロック図であり、（ｂ）が帰線電流解析装置１０の帰線電流解析プログラム２０及びデータのブロック図である。
また、図２は、線路図データ５０の構造と設定を示し、（ａ）が線路図上の点位置Ｐ０１〜Ｐ１４を設定するときの画面１４のイメージ１５と線路図データ５０の点位置データ５１の構造図であり、（ｂ）が線路図の線データＬ０１〜Ｌ１４を設定するときの画面１４のイメージ１５と線路図データ５０の線データ５２の構造図である。
【００２７】
さらに、図３も、線路図データ５０の構造と設定を示し、（ａ）が線路図上の境界位置データ５３を設定するときの画面イメージ１５とデータ構造図、（ｂ）が線路図の区間データ５４を設定するときの画面イメージ１５とデータ構造図である。
また、図４（ａ）も、線路図データ５０の構造と設定を示し、それに含まれる軌道回路規定データ５５を設定するときの画面イメージ１５とデータ構造図である。
一方、図４（ｂ）は、表示位置データ６０に含まれる電流測定値表示位置データ６１と軌道状態表示位置データ６２と対地総漏れ量表示位置データ６３と不平衡表示位置データ６４とに係るデータ構造図である。
【００２８】
また、図５は、表示位置データ６０の設定時の画面イメージであり、（ａ）が線路図全体に係る画面イメージ１５、（ｂ）がその一部を拡大した画面イメージ１６である。
また、図６（ｂ）は、帰線電流測定部４から電流測定データ４１へデータを転送させるときの画面イメージ１６である。
また、図６（ｅ）は、軌道回路部７から軌道状態データ４２へデータを転送させるときの画面イメージ１６である。
【００２９】
帰線電流測定解析システムは（図１（ａ）参照）、既述のものを少し改造した帰線電流測定部４と、既述のものを大きく改良した帰線電流解析装置１０と、既存のものでほぼ足りる軌道回路部７とからなる。
そして、帰線電流測定時には、既述したように、複条軌道（線路）において左右を並走する一対のレール（軌条）２，２に設定された軌道回路区間の境界（レール絶縁）の所に付設されたインピーダンスボンド３（ＺＢ）のレール接続用ケーブルに帰線電流測定部４のセンサ部が装着されて使用される。
【００３０】
帰線電流測定部４は、既述したようにセンサ部装着先の電流を測定するとともにその電流測定値と測定時の時刻情報とを合わせて電流測定データにしてメモリカード等に蓄積記録するようになっているが、電流測定データをカード脱着にて帰線電流解析装置１０に引き渡せるだけでなく、ＵＳＢ等でのケーブル接続やＢｌｕｅｔｏｏｔｈ（登録商標）等での無線接続といった電送手段５にて帰線電流解析装置１０と通信可能になると、帰線電流解析装置１０からの指示に応じて、電流測定データの転送や、内蔵時計の時刻合わせ、ＺＢ識別情報（インピーダンスボンド識別情報）といった登録情報の設定も行うようになっている。なお、この帰線電流測定部４は、帰線電流が直流のときには、その電流方向とセンサ部装着向きとに応じて電流測定値の符号がプラスとマイナスの何れかになるものである。
【００３１】
軌道回路部７は、軌道回路と連動装置と定常状態監視装置と列車運行管理システムとを例示したが、要するに、既述したような軌道回路区間に係る列車の有無検知を行って、在線状態の落下（確定落下／不正落下）や、非在線状態の扛上（確定扛上／不確定扛上／不正扛上）といった列車検知結果を出せるものであって、その列車検知結果と検知時の時刻情報とを合わせて軌道状態データを作れるようになっていれば良い。その軌道状態データは、適宜な記録媒体や通信設備を用いた電送手段６にて軌道回路部７と帰線電流解析装置１０とが通信可能になると、随時、あるいはハードディスク等に一旦記録しておいたものが帰線電流解析装置１０からの要求に応じて、軌道回路部７から帰線電流解析装置１０へ送信されるようになっている。
【００３２】
帰線電流解析装置１０は（図１（ａ）参照）、ハードウェア面では汎用の一般的なコンピュータで足り、マウス１１，１２やキーボード１３さらには図示しないタッチパネルといった操作入力部材１１〜１３と、文字や図形を表示しうる画面１４と、上述した電送手段５，６に対応したインターフェイスと、インストールされた帰線電流解析プログラム２０の実行に必要な図示しないプログラムメモリ及びデータメモリとを具えている。
帰線電流解析プログラム２０は、常套手段なので図示や詳細な説明は割愛するが、多段階に表示されるツリー状メニューに加えて、マウスのクリック操作等に応じて表示される所謂プルダウンメニューや所謂クイックメニューなども、画面１４に表示して、そこから操作入力部材１１〜１３にて適宜なメニュー項目を選択させるようになっている。
【００３３】
帰線電流解析プログラム２０は（図１（ｂ）参照）、以下に述べる電流測定データ取得プログラム２１とデータセットアッププログラム２２と軌道状態取得プログラム２３と二次データ算出プログラム２４と時刻合致プログラム２５と画面表示プログラム３０とを含んでおり、更に画面表示プログラム３０は変動グラフ表示プログラム３１と表示タイプ選択プログラム３２と時間帯指定プログラム３３と線路図表示プログラム３４とを含んでおり、それらを操作入力部材１１〜１３によるメニュー項目の選択や画面上の所謂ドラッグ操作に応じて又は電送手段５，６の接続確立などに応じて起動するようになっている。
【００３４】
この帰線電流解析プログラム２０が取り扱う主なデータには（図１（ｂ）参照）、電流測定データ４１と軌道状態データ４２と二次データ４３と表示時間データ４４と線路図データ５０と表示位置データ６０とがある。
そのうち、線路図データ５０には、点位置データ５１と（図２（ａ）参照）、線データ５２と（図２（ｂ）参照）、境界位置データ５３と（図３（ａ）参照）、区間データ５４（図３（ｂ）参照）、軌道回路規定データ５５（図４（ａ）参照）とが含まれている。
さらに、表示位置データ６０には（図４（ｂ）参照）、電流測定値表示位置データ６１と軌道状態表示位置データ６２と対地総漏れ量表示位置データ６３と不平衡表示位置データ６４とが含まれている。
【００３５】
これらのデータ４１〜６４は、メインメモリやハードディスク等からなり十分な記憶容量を持つ記憶部（記憶手段）に割り付けられた夫々のデータ領域に保持されるが、データ値だけでなくデータ量や測定箇所まで解析対象の線路やインピーダンスボンドの設置状況に応じて異なるので、基本単位のデータ構造は予め決まっているが、具体的な組み分けや値の多くが各プログラムの実行によって設定や決定されるものとなっているため、好適な実行順で、先ず、データセットアッププログラム２２と、その実行によって設定や決定される線路図データ５０及び表示位置データ６０とを、図１〜図５を引用して説明する。
【００３６】
データセットアッププログラム２２は、設定対象データをメニュー等で選択されると該当データを操作入力部材１１〜１３での指示に応じて設定するようになっている（以下、操作指示と略記する）。具体的には、線路図データ５０のうち点位置データ５１の設定が選択されたときは（図２（ａ）参照）、画面１４に線路図用の画面イメージ１５を表示して、その中の点が操作指示で指定されると、点名Ｐ０１と横座標Ｘ０１と縦座標Ｙ０１との組データ［Ｐ０１，Ｘ０１，Ｙ０１］を作成するので、それを各点Ｐ０１〜Ｐ１４について作成すると、点位置データ５１が出来上がる。また、上記プログラム２２は、線路図データ５０のうち線データ５２の設定が選択されたときは（図２（ｂ）参照）、画面イメージ１５の中の２点たとえばＰ０１とＰ０２とが操作指示で指定されると、その２点間に亘る二重線を線路イメージとして画面イメージ１５に描くとともに、線名Ｌ０１と両点名Ｐ０１，Ｐ０２との組データ［Ｌ０１，Ｐ０１，Ｐ０２］を作成するので、それを各線Ｌ０１〜Ｌ１４について作成すると、線データ５２が出来上がる。
【００３７】
さらに、上記プログラム２２は、線路図データ５０のうち境界位置データ５３の設定が選択されたときは（図３（ａ）参照）、上述した点位置データ５１に設定された各点のうちから軌道回路区間の境界（レール絶縁）に該当する点が画面イメージ１５に対する操作指示で指定されると、短い縦線を境界イメージとして画面イメージ１５の該当位置に描くとともに、該当する点名を境界位置データ５３に加えるので、それを点名Ｐ０２，Ｐ０５，Ｐ０６，Ｐ０９について行うと、境界位置データ５３が出来上がる。また、上記プログラム２２は、線路図データ５０のうち区間データ５４の設定が選択されたときは（図３（ｂ）参照）、線路図用の画面イメージ１５の中の線が操作指示で指定されると、区間名Ｍ０１と線名Ｌ１との組データ［Ｍ０１，Ｌ０１］を作成する。区間が複数の線からなる旨の指定がなされると、一つの区間名Ｍ０２と複数の線名Ｌ２〜Ｌ１１との組データ［Ｍ０２，Ｌ０２，Ｌ０３，Ｌ０４，Ｌ１０，Ｌ１１］を作成するので、そのような組データを各区間Ｍ０１〜Ｍ０６について作成すると、区間データ５４が出来上がる。更に、上記プログラム２２は、線路図データ５０のうち軌道回路規定データ５５の設定が選択されたときは（図４（ａ）参照）、線路図用の画面イメージ１５の中の３点たとえばＰ０２とＰ０５とＰ１２が操作指示で指定されると、軌道回路名Ｋ０１とそれに属する３箇所の各端点名Ｐ０２，Ｐ０５，Ｐ１２との組データ［Ｋ０１，Ｐ０２，Ｐ０５，Ｐ１２］や、軌道回路名Ｋ０２とそれに属する２箇所の各端点名Ｐ０５，Ｐ０６との組データ［Ｋ０２，Ｐ０５，Ｐ０６］等、を作成するので、そのような組データを指定の度に各軌道回路Ｋ０１〜Ｋ０４について作成し、それらを纏めると、軌道回路規定データ５５が出来上がる。
【００３８】
また、上記プログラム２２は、表示位置データ６０の設定が選択されたときは、線路図全体の画面イメージ１５（図５（ａ）参照）やその一部拡大の画面イメージ１６（図５（ｂ）参照）に線路と軌道回路区間の境界だけの線路図を表示したうえで更に具体的な設定先の選択を求め、電流測定値表示位置データ６１の設定が選択されるとともに（図４（ｂ）参照）、画面イメージ１５，１６の中の点が操作指示で指定されると（図５参照）、指定された点位置の横座標Ｘ３１及び縦座標Ｙ３１と、境界位置データ５３の中から指定点に最も近いとして選出した境界位置Ｐ０２及び測定方位Ｉ１１とを集めて、電流測定値表示位置を示す組データ［Ｐ０２・Ｉ１１，Ｘ３１，Ｙ３１］を作成したり、同様のことを繰り返して境界位置Ｐ１２と測定方位Ｉ２１とから他の組データ［Ｐ１２・Ｉ２１，Ｘ９１，Ｙ９１］等を作成するようになっている（図４（ｂ）参照）。
【００３９】
ここで、測定方位Ｉ１１は境界位置のインピーダンスボンド（ＺＢ１）の右上方向の電流測定箇所を特定する識別記号であり、測定方位Ｉ１２は境界位置のインピーダンスボンド（ＺＢ１）の右下方向の電流測定箇所を特定する識別記号であり、測定方位Ｉ２１は境界位置のインピーダンスボンド（ＺＢ２）の左上方向の電流測定箇所を特定する識別記号であり、測定方位Ｉ２２は境界位置のインピーダンスボンド（ＺＢ２）の左下方向の電流測定箇所を特定する識別記号であり、それら四つの識別記号のうち何れか一つと境界位置Ｐ０２との組み合わせ例えばＰ０２・Ｉ１１がＺＢ識別情報となり（図４（ｂ）参照）、画面イメージ１５，１６における座標位置［Ｘ３１，Ｙ３１］がＰ０２・Ｉ１１の電流測定値の表示位置であることを示すものとなる。また、同様にして、Ｐ１２・Ｉ２１がＺＢ識別情報となり（図４（ｂ）参照）、座標位置［Ｘ９１，Ｙ９１］がＰ１２・Ｉ２１の電流測定値の表示位置であることを示すものとなる（図５参照）。
【００４０】
また、上記プログラム２２は、表示位置データ６０の軌道状態表示位置データ６２の設定が選択されたときは（図４（ｂ）参照）、画面イメージ１５，１６の中の点が操作指示で軌道状態表示位置に指定されると（図５参照）、指定された点位置の横座標Ｘ４１及び縦座標Ｙ４１と、区間データ５４の中から指定点に最も近い区間として選出した区間Ｍ０１とを集めて、組データ［Ｍ０１，Ｘ４１，Ｙ４１］を作成するので（図４（ｂ）参照）、そのような組データを各区間Ｍ０１〜Ｍ０７について作成すると、軌道状態表示位置データ６２が出来上がる。また、上記プログラム２２は、表示位置データ６０の対地総漏れ量表示位置データ６３の設定が選択されたときは（図４（ｂ）参照）、画面イメージ１５，１６の中の点が操作指示で対地総漏れ量表示位置に指定されると（図５参照）、指定された点位置の横座標Ｘ７１及び縦座標Ｙ７１と、軌道回路規定データ５５の中から指定点に最も近い軌道回路として選出した軌道回路Ｋ０１とを集めて、組データ［Ｋ０１，Ｘ７１，Ｙ７１］を作成するので（図４（ｂ）参照）、それを各軌道回路Ｋ０１〜Ｋ０４について作成すると、対地総漏れ量表示位置データ６３が出来上がる。
【００４１】
また、上記プログラム２２は、表示位置データ６０の不平衡表示位置データ６４の設定が選択されたときは（図４（ｂ）参照）、上述した電流測定値表示位置データ６１のうち一つ分の表示位置を作成する要領で不平衡率Δαの表示位置を示す半組データ［Ｐ０２・Ｉ１１，Ｘ５１，Ｙ５１］を作成するとともに、同じ要領で不平衡耐量Δβの表示位置を示す半組データ［Ｐ０２・Ｉ１２，Ｘ６１，Ｙ６１］をも作成し、更にインピーダンスボンドの定格電流値Ｉｍの入力を求めて、それを操作指示等にて得ると、それらを集めて組データ［Ｐ０２・Ｉ１１，Ｐ０２・Ｉ１２，Ｉｍ，Ｘ５１，Ｙ５１，Ｘ６１，Ｙ６１］を作成するので、そのような組データを指定の度に作成してそれらを纏めると、不平衡表示位置データ６４が出来上がる（図４（ｂ）参照）。
【００４２】
電流測定データ取得プログラム２１は（図１（ｂ）参照）、帰線電流解析装置１０に電送手段５にて接続されている帰線電流測定部４から測定収集済みデータを入力して電流測定データ４１に記憶保持するためのものであり、画面イメージ１６の中の点が操作指示で指定されると（図６（ｂ）参照）、その指定点に最も近い点位置（例えばＸ３１，Ｙ３１）を持った組データを電流測定値表示位置データ６１から選び出し（図４（ｂ）参照）、その組データに含まれているＺＢ識別情報（例えばＰ０２・Ｉ１１）をデータ識別タグに採用するとともに、帰線電流測定部４から電流測定データ４１へデータを転送させて（図１（ａ）参照）、測定時刻情報と電流測定値との対データを測定継続時間に亘って連ねた一連データを電流測定データ４１に記憶保持するが（図１（ｂ）参照）、その際、上述した一連データに上記のデータ識別タグを付して一緒に記憶保持するようになっている。そのため、電流測定データ４１は、ＺＢ識別情報をキーにして該当する一連データを読み出すことができるものとなる。
【００４３】
そして、そのような電流測定データの記憶保持とタグ付けとが指定の度に繰り返されて、電流測定データ４１が出来上がるので、インピーダンスボンド３の左右一対のレール接続用ケーブルの電流を測定した２個の帰線電流測定部４，４それぞれから電流測定データを取得すれば、電流測定データ取得プログラム２１がインピーダンスボンドに係る一対の電流測定値および測定時刻情報を含む電流測定データを取得しうる電流測定データ取得手段となり、軌道回路の両端部の一対のインピーダンスボンド３，３に係る四つレール接続用ケーブルの電流を測定した４個の帰線電流測定部４，４，４，４それぞれから電流測定データを取得すれば、電流測定データ取得プログラム２１が軌道回路の両端部の一対のインピーダンスボンドに係る二対の電流測定値および測定時刻情報を含む電流測定データを取得しうる電流測定データ取得手段となる。
【００４４】
軌道状態取得プログラム２３は（図１（ｂ）参照）、帰線電流解析装置１０に電送手段６にて接続されている軌道回路部７から検知直後の又は検知収集済みのデータを入力して軌道状態データ４２に記憶保持するためのものであり、画面イメージ１６の中の点が操作指示で指定されると（図６（ｅ）参照）、その指定点に最も近い点位置（例えばＸ４１，Ｙ４１）を持った組データを軌道状態表示位置データ６２から選び出し（図４（ｂ）参照）、その組データに軌道識別情報として含まれている区間名（例えばＭ０１）をデータ識別タグに採用するとともに、軌道回路部７から軌道状態データ４２へのデータ転送を行って（図１（ａ）参照）、検知時刻情報と列車検知結果との対データを測定継続時間に亘って連ねた一連データを軌道状態データ４２に記憶保持するが（図１（ｂ）参照）、その際、上述した一連データに上記のデータ識別タグを付して一緒に記憶保持するようになっている。そのため、軌道状態データ４２は、軌道識別情報としての区間名をキーにして該当する一連データを読み出すことができるものとなり、そのような軌道状態データの記憶保持とタグ付けとが指定の度に繰り返されて解析に適うものとなる。
【００４５】
二次データ算出プログラム２４は（図１（ｂ）参照）、電流測定データ４１から不平衡率Δαと不平衡耐量Δβと対地総漏れ量ｉａとを算出し、それを二次データ４３に記憶保持するものであり、不平衡表示位置データ６４の各組データについて（図４（ｂ）参照）、一台のインピーダンスボンド３に係る定格電流値と一対のＺＢ識別情報とを抽出し、それらのＺＢ識別情報をキーにして電流測定データ４１を検索して、上記の抽出ＺＢ識別情報それぞれとＺＢ識別情報の一致する一対の電流測定データ（例えばＺＢ識別情報がＰ０２・Ｉ１１とＰ０２・Ｉ１２のもの）が見つかると、測定時刻情報が一致する一対の電流測定値について、両測定値の和（例えばＩ１１の電流値とＩ１２の電流値との和の絶対値）と差（例えばＩ１１の電流値とＩ１２の電流値と差の絶対値）を算出するようになっている。なお、ここで絶対値を採るのは、必須でなく、帰線電流測定時に帰線電流測定部４センサ部の装着向きを間違えても上記の和や差が正しく算出されるようにするためである。
【００４６】
それから更に、二次データ算出プログラム２４は、両測定値の差を両測定値の和で除して不平衡率Δα［％］（＝｜Ｉ１１−Ｉ１２｜／｜Ｉ１１＋Ｉ１２｜×１００）を算出するとともに、両測定値の差を抽出済みの定格電流値で除して不平衡耐量Δβ［％］（＝｜Ｉ１１−Ｉ１２｜／定格電流値）を算出して、それらの二次データを測定時刻情報と組にして二次データ４３に記憶保持するようになっている。そして、そのような演算と記憶保持とが演算対象の電流測定データの各組データについて繰り返されて不平衡率Δαと不平衡耐量Δβの一連データが出来上がるが、それに上記のＺＢ識別情報をデータ識別タグとして付すことも行うようになっている。そのため、二次データ４３は、ＺＢ識別情報をキーにして該当する二次データのうち不平衡率Δαや不平衡耐量Δβの一連データを読み出すことができるものとなる。
【００４７】
さらに、二次データ算出プログラム２４は、対地総漏れ量ｉａを算出するときには、軌道回路規定データ５５から軌道回路の各端点（例えばＫ０１ではＰ０２とＰ０５とＰ１２であり，Ｋ０２ではＰ０５とＰ０６）を抽出して（図４（ａ）参照）、その軌道回路の各端点に対応する三対のＺＢ識別情報（例えばＰ０２・Ｉ１１及びＰ０２・Ｉ１２とＰ０５・Ｉ２１及びＰ０５・Ｉ２２とＰ１２・Ｉ２１及びＰ１２・Ｉ２２）や二対のＺＢ識別情報（例えばＰ０５・Ｉ１１及びＰ０５・Ｉ１２とＰ０６・Ｉ２１及びＰ０６・Ｉ２２）をキーとして電流測定データ４１を検索する（図１（ｂ）参照）。そして、上記の軌道回路に係る六つや四つの電流測定データ（軌道回路の各端部の電流測定値）が見つかると、測定時刻情報が一致する六つや四つの電流測定値を用いて、対地総漏れ量ｉａを算出するようになっている。
【００４８】
具体的には、この実施例の電流測定データ４１の電流測定値は、上述したように、該当する軌道回路に流入する電流に係る値と、該当の軌道回路から流出する電流に係る値とで、正負（プラス・マイナス）が異なるので、該当の軌道回路の端部が二つであれ三つであれそれより多かれとも、二次データ算出プログラム２４は、該当する軌道回路の各端部に係る電流測定値の総和を演算する。この演算によって該当する軌道回路の各端部を介して該軌道回路に流入する電流と流出する電流との差が算出されたことになるので、二次データ算出プログラム２４は、この算出値を該当の軌道回路の対地総漏れ量ｉａとし、その二次データを測定時刻情報と組にして二次データ４３に記憶保持する。そして、その演算と記憶保持とが演算対象の軌道回路の各端部の電流測定データの各組データについて繰り返されて対地総漏れ量ｉａの一連データが出来上がるが、それに上記の軌道識別情報をデータ識別タグとして付すことも行うようになっている。そのため、二次データ４３は、軌道識別情報をキーにして該当する二次データのうち対地総漏れ量ｉａの一連データを読み出すことができるものとなる。
【００４９】
時刻合致プログラム２５は（図１（ｂ）参照）、操作入力部材１１〜１３での操作指示に応じて、電送手段５にて接続されている帰線電流測定部４に対して帰線電流解析装置１０の時計の現在時刻情報を含めた時刻合致指令を送信するようになっている。また、帰線電流測定部４が、その指令に応じて現在時刻を調整することで、帰線電流測定部４の時計の時刻が帰線電流解析装置１０の時計の時刻に合わせられるようにもなっている。
そのため、そのような時刻合致操作を使用予定の帰線電流測定部４，４，…に対して次々に行うことにより、多数の帰線電流測定部４，４，…によって個別に測定収集された電流測定データに含まれる測定時刻情報を高い精度で而も簡便に一致させることができるものとなっている。
【００５０】
画面表示プログラム３０は（図１（ｂ）参照）、電流測定データ４１と軌道状態データ４２と二次データ４３とから適宜な部分データを選出して画面１４に表示するものであるが、画面１４の画面イメージ１５，１６を解析者が見やすいように、上述の如く予め解析者等がセットアップした線路図データ５０や表示位置データ６０に基づいて電流測定データ４１や他のデータ４２，４３を画面１４の全体に或いはその一部の所謂ウインドウ等に交互に又は同時に表示するようになっている。
【００５１】
また、画面表示プログラム３０は、そのような上述の表示に際して時間経過に基づく解析に資する表示態様と空間的な関連性に基づく解析に資する表示態様との２タイプで表示できるように、時間経過重視の表示態様を具現化したものとして上述のデータ４１〜４３の値を画面１４に変動グラフで表示する変動グラフ表示プログラム３１を具備するとともに、空間重視の表示態様を具現化したものとして上述の線路図データ５０に基づいて画面１４に線路図を表示するとともに上述のデータ４１〜４３の値をも表示する線路図表示プログラム３４も具備している。
【００５２】
変動グラフ表示プログラム３１も、線路図表示プログラム３４も、上述のデータ４１〜４３の全項目を並べて表示することができる他、上述のデータ４１〜４３のうち何れか指定された一つ又は複数の項目だけを並べて表示することができるようになっている。特に後者の線路図表示プログラム３４は、線路図データ５０に基づいて線路図を画面表示するときに、その線路図と共に電流測定データ４１の測定電流値を画面表示するとともに、軌道状態データ４２の列車検知結果や二次データ４３の算出値から、表示対象の時刻が一致するものを選出して、それらも画面表示するようになっている。
【００５３】
さらに、画面表示プログラム３０は、それら時間経過重視の表示態様と空間重視の表示態様との切り替えを操作入力部材１１〜１３の操作で簡便に行えるように、上述した変動グラフ表示プログラム３１と線路図表示プログラム３４とについて両者の実行優先度や表示優先度を操作指示に応じて切り替える表示タイプ選択プログラム３２を具備している。これにより、画面表示プログラム３０は、表示位置データ６０に基づいてデータ４１〜４３を表示するに際して、特に電流測定データ４１の電流測定値を画面１４に表示するに際して、電流測定データ４１の測定時刻情報に基づく変動グラフで表示するのか、あるいは線路図データ５０に基づいて線路図と共に表示するのかを、選択することができるものとなっている。
【００５４】
また、画面表示プログラム３０は、変動グラフの画面イメージ１５，１６であれ線路図の画面イメージ１５，１６であれ画面イメージ１５，１６の一部にタイムバーを表示する時間帯指定プログラム３３も具備している。タイムバーの全長は基本的に表示対象の電流測定データの測定時刻情報の全範囲に対応させられるが、その中の２箇所（二つの離れた時刻）を操作入力部材１１〜１３の操作にて選出することで、時間帯を指定でき、その時間帯の情報を時間帯指定プログラム３３が表示時間データ４４に記憶保持するようになっている。また、タイムバーの中の１箇所（通常は時間帯の中の一時刻）を操作入力部材１１〜１３の操作にて選出することで、表示時刻を指定でき、その表示時刻の情報も時間帯指定プログラム３３が表示時間データ４４に記憶保持するようになっている。
【００５５】
この表示時間データ４４は変動グラフ表示プログラム３１と線路図表示プログラム３４とによって参照され、変動グラフ表示プログラム３１では線路図表示プログラム３４の時間帯に該当する部分だけ変動グラフを拡大表示するといったことに用いられ、線路図表示プログラム３４では、変動グラフ表示プログラム３１が変動グラフを表示している画面イメージ１５，１６の中で時間帯の指定が行われるとともに続けて表示タイプ選択プログラム３２による線路図表示への切り替えが行われたときや、表示タイプ選択プログラム３２によって線路図での表示が選択されている状態で操作入力部材１１〜１３の操作にて時間送りが指示されると、画面イメージ１５，１６に表示するデータ４１〜４３特に電流測定データ４１の電流測定値を表示時間データ４４の時間帯に亘り定速で更新するとともに、その表示時の該当時刻を表示時刻として表示時間データ４４とタイムバー表示とを更新するようになっている。
【００５６】
さらに、変動グラフ表示プログラム３１は、表示している変動グラフに操作入力部材１１〜１３の操作で上下移動しうる閾値ラインを重畳表示して、変動グラフのうち閾値ラインを超えた部分を太線化や着色などで強調することと、その強調部分を操作指示で選択してから時間帯の設定を指示するとそれに応じて該当部分の時間帯で表示時間データ４４とタイムバー表示とを更新するようになっている。また、変動グラフ表示プログラム３１は、軌道状態データ４２の列車検知結果を軌道状態として画面表示しているときに、それに不正落下や不正扛上といった不正状態が含まれていて、その不正状態の表示部分を操作指示で選択されると、該当する表示部分を強調表示したうえで、該当部分の時間帯で表示時間データ４４とタイムバー表示とを更新し、更なる操作指示があるとそれに応じて該当部分を画面表示対象データに選出して拡大表示するようになっている。
【００５７】
線路図表示プログラム３４も、不正状態の軌道回路に係る表示部分を線形変更や着色などで強調するようになっており、例えば、軌道状態データ４２から得た不正状態の軌道回路の区間名（例えばＭ０６）で区間データ５４を検索して該当する線（Ｌ０２，Ｌ０３等）の表示を太線にしたり、やはり不正状態の軌道回路の区間名（例えばＭ０６）で軌道状態表示位置データ６２を検索して該当する状態の表示色を赤色にしたり表示を大きくしたりするようになっている。
なお、このような画面表示プログラム３０の更なる詳細な説明は、以下の動作説明での例示にて分かり易く具象化して行う。
【００５８】
この実施例１の帰線電流解析装置１０について、その使用態様及び動作を、図面を引用して説明する。
図６は、電流測定データ４１と軌道状態データ４２とを取得しているときの画面イメージの変遷を時系列で示し、（ａ）〜（ｅ）何れも一部拡大の画面イメージ１６である。
【００５９】
また、図７は、データ取得後の表示画面イメージを示し、（ａ）が線路図全体に係る線路図表示画面７０の画面イメージ、（ｂ）がその一部を拡大した線路図表示画面７６の画面イメージ、（ｃ）がグラフ表示画面８０の画面イメージである。
さらに、図８も、データ取得後のグラフ表示画面８０の画面イメージであり、（ａ）が閾値ライン８５を用いて時間帯８３‥８４を指定しているところ、（ｂ）が軌道状態変化９０を利用して時間帯８３‥８４を指定しているところである。
【００６０】
帰線電流解析装置１０は、上述した帰線電流測定解析システムの主要部であり（図１（ａ）参照）、帰線電流測定部４や軌道回路部７と電送手段５，６にて適宜接続して所望のデータを取得してから解析に使用されるので、解析に先立って、レール２及びインピーダンスボンド３の帰線電流を帰線電流測定部４で測定しておく必要があるが、その際、測定に先だって、帰線電流測定部４を電送手段５にて帰線電流解析装置１０に接続し、その接続に応じて自動的に起動した或いは操作入力部材１１〜１３の人手操作で起動された自動時刻合致プログラム２５にて帰線電流測定部４の時刻を帰線電流解析装置１０の時刻に一致させておく。
【００６１】
それから、時刻合わせの済んだ帰線電流測定部４を帰線電流解析装置１０から離して現場のインピーダンスボンド３の所へ運び、そこの帰線電流を帰線電流測定部４に測定させる。また、軌道回路部７に対しては、電流測定対象になったレール２に係る軌道回路に基づく列車検知結果の記録（時系列データの収集蓄積）か電送手段６を介したデータ転送が実行されていることを確認し、そうでなければ実行させる。
そして、測定期間の経過後、測定に用いた全ての帰線電流測定部４をインピーダンスボンド３から取り外して帰線電流解析装置１０の所へ運んで、解析に備える。
【００６２】
また、帰線電流解析装置１０を用いた解析・解析支援では、帰線電流測定部４や軌道回路部７からのデータ取得に先だって線路図データ５０と表示位置データ６０とを構築しておく必要があるので、帰線電流解析装置１０については、データセットアッププログラム２２を起動させてから、既に詳述したのでここでは簡潔に述べるが、画面イメージ１５上で各点Ｐ０１〜Ｐ１４の位置を指定して点位置データ５１を構築し（図２（ａ）参照）、画面イメージ１５上での２点選出により各線Ｌ０１〜Ｌ１４を設定して線データ５２を構築し（図２（ｂ）参照）、画面イメージ１５上で点Ｐ０２，Ｐ０５，Ｐ０６，Ｐ０９，Ｐ１２，Ｐ１３を選出して境界位置データ５３を構築し（図３（ａ）参照）、画面イメージ１５上での線選出により区間Ｍ０１〜Ｍ０６を設定して区間データ５４を構築し（図３（ｂ）参照）、画面イメージ１５上での各点選出により軌道回路Ｋ０１〜Ｋ０４を設定することで（端部が二つの軌道回路Ｋ０２については両端点Ｐ０５とＰ０６を選出し，端部が三つの軌道回路Ｋ０１については三端点Ｐ０２とＰ０５とＰ１２を選出し，端部が四つ以上の軌道回路があればそれらの端点を総て選出することで）、軌道回路規定データ５５を構築して（図４（ａ）参照）、線路図データ５０を完成させる。
【００６３】
さらに、データセットアッププログラム２２に対する設定操作を続け、画面イメージ１５，１６（図５参照）上での点位置指定によりＺＢ識別情報Ｐ０２・Ｉ１１等とそれらの電流測定値の表示位置とを設定して電流測定値表示位置データ６１を構築し（図４（ｂ）参照）、画面イメージ１５，１６（図５参照）上での点位置指定により軌道識別情報Ｍ０１等とそれらの列車検知結果の表示位置とを設定して軌道状態表示位置データ６２を構築し（図４（ｂ）参照）、画面イメージ１５，１６（図５参照）上での点位置指定により軌道識別情報Ｋ０１等とそれらの対地総漏れ量ｉａの表示位置とを設定して対地総漏れ量表示位置データ６３を構築し（図４（ｂ）参照）、画面イメージ１５，１６（図５参照）上での２点位置指定と定格電流値Ｉｍ入力操作とによりＺＢ識別情報Ｐ０２・Ｉ１１及びＰ０２・Ｉ１２等とそれらの不平衡率Δα及び不平衡耐量Δβの表示位置とを設定して不平衡表示位置データ６４を構築して（図４（ｂ）参照）、表示位置データ６０を完成させる。
【００６４】
こうして画面表示の準備が出来たら、インピーダンスボンド３から外してきた帰線電流測定部４を電送手段５にて帰線電流解析装置１０に接続し（図１（ａ）参照）、操作入力部材１１〜１３での操作指示により帰線電流解析装置１０に電流測定データ取得プログラム２１を起動させる（図１（ｂ）参照）。すると、画面イメージ１６に線路図データ５０に基づく線路図と共に例えば破線囲みで薄く表示位置データ６０に基づく各種データ項目が表示されるので（図６（ａ）参照）、やはり操作指示により、電流測定データ取出対象の帰線電流測定部４の測定先に対応した画面イメージ１６上のＺＢ識別情報たとえばＰ１２・Ｉ１１を選択するとともにデータ転送を指示する（図６（ｂ）参照）。そうすると、その指示に応じた電流測定データ取得プログラム２１によって、電流測定データが帰線電流測定部４から電流測定データ４１に転送されるとともに、画面イメージ１６における該当箇所の表示が例えば実線囲みに変わって明瞭になる。
【００６５】
そして、同じインピーダンスボンド３の別部位の測定に使用された帰線電流測定部４について同様のデータ取得作業を行うと、このときには対をなすＺＢ識別情報たとえばＰ１２・Ｉ１２を選択するとともにデータ転送を指示すると（図６（ｃ）参照）、上述したのと同様にして、該当するデータの転送と、該当する画面表示箇所の明瞭化が行われる。しかも、そのような一対の電流測定データが揃うと、自動起動された又は手動起動された二次データ算出プログラム２４によって、ＺＢ識別情報の対応する不平衡率Δαと不平衡耐量Δβとが算出されて二次データ４３に記憶保持されるとともに、該当する画面表示箇所の明瞭化が行われる（図６（ｃ）では左側の不平衡率と耐量の所を参照）。
【００６６】
さらに、同じ軌道回路の他端に付設されているインピーダンスボンド３に係る一対の電流測定に使用された２個の帰線電流測定部４，４を帰線電流解析装置１０に接続させてから、対応するＺＢ識別情報Ｐ１３・Ｉ２１，Ｐ１３・Ｉ２２を帰線電流解析装置１０の画面イメージ１６上で選択して、上述したのと同様のことを帰線電流解析装置１０の電流測定データ取得プログラム２１に二回実行させると（図６（ｄ）参照）、更なる一対のデータについても、帰線電流測定部４，４から電流測定データ４１への転送と、該当する画面表示箇所の明瞭化が行われる。また、二次データ算出プログラム２４によって、ＺＢ識別情報の対応する所の不平衡率Δαと不平衡耐量Δβとが算出されるとともに、該当する画面表示箇所の明瞭化が行われる（図６（ｄ）では右側の不平衡率と耐量の所を参照）。
【００６７】
それに加えて、そのような同一軌道回路に係る各端部の電流測定データが揃うと、自動起動された又は手動起動された二次データ算出プログラム２４によって、該当する四つのＺＢ識別情報Ｐ１２・Ｉ１１，Ｐ１２・Ｉ１２，Ｐ１３・Ｉ２１，Ｐ１３・Ｉ２２に含まれる二つの点名Ｐ１２，Ｐ１３から軌道回路規定データ５５の検索で軌道識別情報Ｋ０４が求められ、更に対地総漏れ量表示位置データ６３に基づいて軌道識別情報の対応する所の対地総漏れ量ｉａが算出されるとともに、該当する画面表示箇所の明瞭化が行われる（図６（ｄ）の中央のＫ０４の所を参照）。
そして、このような帰線電流測定部４及び帰線電流解析装置１０に対する操作を全ての測定済み帰線電流測定部４に行うと電流測定データ４１と二次データ４３が完成する。
【００６８】
帰線電流の測定結果に加えて軌道回路の列車検知結果も見て解析したい場合は、軌道回路部７から帰線電流解析装置１０の軌道状態データ４２へのデータ転送も行っておくことが必要なので、軌道回路部７を電送手段６にて帰線電流解析装置１０に接続した状態で（図１（ａ）参照）、操作指示にて帰線電流解析装置１０に軌道状態取得プログラム２３を起動させるか（図１（ｂ）参照）、上述した電流測定データ取得プログラム２１の実行を継続させることで、画面イメージ１６に線路図データ５０に基づく線路図と共に表示位置データ６０に基づく各種データ項目を表示させておく（図６（ａ）〜（ｄ）参照）。
【００６９】
そして、帰線電流解析装置１０に対しては、操作指示により、画面イメージ１６上の軌道識別情報たとえばＭ０６を選択するとともにデータ受信を指示する（図６（ｄ）参照）。また、軌道回路部７に対しては、該当する軌道回路に係る記録済み列車検知結果のデータ送信を指示する。そうすると、それらの指示に応じて、軌道回路部７から帰線電流解析装置１０の軌道状態データ４２へ所望のデータが転送されるとともに、軌道状態取得プログラム２３によって画面イメージ１６における該当箇所の表示Ｍ０６が例えば実線囲みに変わって明瞭になる（図６（ｅ）参照）。
そして、このような軌道回路部７及び帰線電流解析装置１０に対する操作を全ての区間Ｍ０１〜Ｍ１１について行うと、軌道状態データ４２も完成し、解析の準備が調う。
【００７０】
こうして測定データまで揃うと帰線電流解析装置１０を用いて解析者が解析作業を進めるのであるが、その解析の要点が、列車走行に伴って線路とインピーダンスボンド３に流れる帰線電流等の変遷といった状況を把握することにあるところ、二次元で足りる線路図と一次元の時間軸とを合わせた三次元の情報を二次元の画面１４に表示させるので、帰線電流解析装置１０を使用した解析作業では、画面表示プログラム３０を起動させて画面１４に線路図表示画面７０とグラフ表示画面８０とを交互に表示させ或いは画面分割等にて並行表示させて（図７参照）、指定や選択といった操作対象や重畳時の前後といった優先度を両画面７０，８０で切り替えることが多くなる。
【００７１】
詳述すると、操作入力部材１１〜１３の操作にて表示タイプ選択プログラム３２を介して線路図表示プログラム３４が起動されると、線路図表示画面７０が画面１４に表示される（図７（ａ），（ｂ）参照）。この線路図表示画面７０には、線路図データ５０に基づいて描かれた線路図７１に加え、表示時間データ４４に基づいて描かれたタイムバー７２とが含まれる。タイムバー７２の長さは、電流測定データ４１に保持されている時刻情報の時間幅などに対応しており、始時点７３と終時点７４は表示時間データ４４の時間帯に対応しており、現時点７５は表示時間データ４４の表示時刻に対応している。線路図７１には、電流測定データ４１と軌道状態データ４２と二次データ４３とに保持されている各種データのうち、時刻情報が表示時間データ４４の表示時刻に一致する時刻と組になっているデータの値も、表示される。
【００７２】
しかも、線路図表示画面７０の表示では、操作指示で明示的に指示されたときや、グラフ表示画面８０から線路図表示画面７０へ切り替えられた直後などには、表示時間データ４４の表示時刻が表示時間データ４４の時間帯に亘って一定周期で更新されるので、それに伴って、タイムバー７２の現時点７５が始時点７３から現時点７５へ定速で移動するとともに、線路図７１に付加表示される各種データの表示値も変化する。
このように、データ表示付きの線路図７１が動画風に画面表示されるので、それを見ることで解析者は時空に及ぶ状況を効率良く的確に把握することができる。しかも、特に気になる時期があればタイムバー７２の現時点７５を操作して表示時刻を変更したり時刻更新周期を広げて表示値の変化速度を落としたりして入念に観察することもできる。
【００７３】
また、操作指示にて線路図表示画面７０の中の点を指定してグラフ表示への切り替えを指示すると、表示タイプ選択プログラム３２を介して変動グラフ表示プログラム３１が起動され（図１（ｂ）参照）、それによって画面１４にグラフ表示画面８０が表示される（図７（ｃ）参照）。グラフ表示画面８０には測定電流波形８１とタイムバー８２とが含められ、タイムバー８２には時間帯８３‥８４が表示されるが現時点は表示されない。測定電流波形８１には電流測定データ４１の電流測定値が通常は測定時間全域に亘る波形グラフで表示される。
【００７４】
電流測定データ４１のうち何れの測定結果を表示するのかは、表示切替直前に行われた線路図７１上の点指定に応じて決められる。すなわち、例えば軌道回路を指定してその帰線電流をグラフ表示させる基本の表示モードでは、線路図データ５０や表示位置データ６０を検索して指定点の位置に最も近い区間たとえばＫ０４が選出され、その一端側の点Ｐ１２に係るＺＢ識別情報Ｐ１２・Ｉ１１とＰ１２・Ｉ１２と他端側の点Ｐ１３に係るＺＢ識別情報Ｐ１３・Ｉ２１とＰ１３・Ｉ２２とで特定される４組の電流測定データが電流測定データ４１から選出され、それらの波形グラフが上下に並べて表示される（図７（ｃ）参照）。もっとも、常にそのような４波形が表示される訳でなく、電流測定データ４１に無いものの波形表示は省かれる。
【００７５】
グラフ表示画面８０のタイムバー８２においても、時間帯８３‥８４は、時間帯７３‥７４と同じく操作指示にて始時点８３と終時点８４を別々に或いは纏めて一緒に移動させることで木目細かく変更できる他（図７（ｃ）参照）、時間帯７３‥７４と異なり波形グラフ上で変更を指定することもできる（図８（ａ）参照）。すなわち、操作指示にてグラフ表示画面８０に閾値ライン８５を表示させてから、やはり操作指示にて閾値ライン８５を上下移動させて、所望の変動グラフ例えばＰ１２・Ｉ２１のうち閾値ライン８５を超えた部分を太線で強調させたところで、そのうちの適宜な強調部分８６を指定するとともに時間帯８３‥８４の更新を指示することで、簡便かつ的確に、タイムバー８２及び表示時間データ４４を更新することができる。
【００７６】
また、グラフ表示画面８０では（図８（ｂ）参照）、測定電流波形８１に加えて又は代えて、軌道状態データ４２や二次データ４３のデータも表示される。すなわち、電流測定データ４１から測定電流波形８１のデータを抽出したのと同様にして、二次データ４３と軌道状態データ４２とから該当区間Ｋ０４に係るデータが抽出され、それを用いて不平衡率波形８７や，不平衡耐量波形８８，対地総漏れ量波形８９，軌道状態変化９０がグラフ表示画面８０に表示される。これらの波形グラフ上でも閾値ライン８５を利用して簡便に時間帯８３‥８４を指定できる他、軌道状態変化９０については太く強調表示されている不正状態の箇所を指定するとともに時間帯８３‥８４の更新を指示することで、簡便かつ的確に、タイムバー８２及び表示時間データ４４を更新することができる。
【００７７】
そして、所望の時間帯８３‥８４を指定し終えたら、操作指示にて線路図表示画面７０への切り替えを指示すると、表示タイプ選択プログラム３２を介して線路図表示プログラム３４が起動され（図１（ｂ）参照）、それによって画面１４に線路図表示画面７０が表示される（図７（ａ）参照）。この線路図表示画面７０でも、不正状態の軌道回路の所は強調表示されて、目を引くので、異常原因を探るのに役立つ。
このように、この帰線電流解析装置１０を使用すると、表示部位や表示時間帯を指定して表示態様を切り替えることが指定も切替も簡便な操作で素早く行えるので、解析者は能率良く解析作業を進めることができる。
【実施例２】
【００７８】
図９に示した実施例２の帰線電流解析装置が上述した実施例１の帰線電流解析装置１０と相違するのは、軌道回路規定データ５５に帰線電流の方向も設定できるようになっている点である。三つの端部を持つ軌道回路Ｋ０１を具体例にして説明すると（図９（ａ）参照）、軌道回路規定データ５５のうち軌道回路Ｋ０１を規定する部分が（図９（ｂ）参照）、軌道回路名Ｋ０１とそれに属する３箇所の各端点名Ｐ０２，Ｐ０５，Ｐ１２と各端点毎の流入出属性＋，−との組データ［Ｋ０１，＋，Ｐ０２，−，Ｐ０５，−，Ｐ１２］になっている。流入出属性＋，−も他の項目と同じくデータセットアッププログラム２２で設定されるものであり、流入側を＋に設定したら流出側を−に設定する。
【００７９】
しかも、そのような軌道回路規定データ５５の改造に対応して、二次データ算出プログラム２４による対地総漏れ量ｉａの算出手法も改変されており、軌道回路Ｋ０１の各端点Ｐ０２とＰ０５とＰ１２に対応する三対の電流測定値すなわちＰ０２・Ｉ１１及びＰ０２・Ｉ１２とＰ０５・Ｉ２１及びＰ０５・Ｉ２２とＰ１２・Ｉ２１及びＰ１２・Ｉ２２の電流測定値から対地総漏れ量ｉａを算出するときに、＋で流入側に設定されたＰ０２・Ｉ１１及びＰ０２・Ｉ１２の電流測定値は加算し、−で流出側に設定されたＰ０５・Ｉ２１及びＰ０５・Ｉ２２とＰ１２・Ｉ２１及びＰ１２・Ｉ２２の電流測定値は減算するようになっている。
【００８０】
例えば帰線電流が交流のため上述の実施例１と異なり電流方向が検出できないといった状況では電流測定値の正負が変わらないので電流の流入出側を全自動で切り分け処理することはできないが、各端点について流入側なのか流出側なのかを操作指示で設定することにより、後は二次データ算出プログラム２４による上述の演算によって、該当する軌道回路の各端部を介して該軌道回路に流入する電流と流出する電流との差が算出される。
そのため、この帰線電流解析装置は、電流方向を検出できない状況下でも、対地総漏れ量ｉａを算出して解析に供することができる。
【実施例３】
【００８１】
図１０に示した実施例３の帰線電流解析装置が上述した実施例２の帰線電流解析装置１０と相違するのは、軌道回路規定データ５５に帰線電流の流入出方向（＋か−）を設定するときに、Ｐ０２といった端点単位でなく、それよりも細かな単位であるＰ０２・Ｉ１１といった測定箇所単位で設定できるようになっている点である（図１０（ｂ），（ｃ）参照）。この場合、電流方向が検出できない状況下では、実施例２のときに倣って流入側の測定箇所には＋を設定し流出側の測定箇所には−を設定する或いは流入側の測定箇所に−を設定し流出側の測定箇所に＋を設定することにより（図１０（ｂ）参照）、＋−の設定回数は倍になるが、適切な加減算が行われて、対地総漏れ量ｉａが正しく算出される。
【００８２】
これにより、例えば、帰線電流測定部４のセンサをインピーダンスボンド３に取り付けるときにセンサの向きを逆にしたために帰線電流の方向を誤って測定したような場合には、該当する測定箇所に係る軌道回路規定データ５５の項目（図１０（ｃ）ではＰ１２・Ｉ１１）だけ他の項目への設定値（＋）と異なる設定値（−）を設定することにより、帰線電流測定部４での測定を遣り直さなくても、対地総漏れ量ｉａが正しく算出される。
【００８３】
［その他］
上記実施例では、線路図表示画面７０の一部を拡大した線路図表示画面７６を図示しても（図７（ａ），（ｂ）参照）、グラフ表示画面８０の拡大図は示さなかったが（図７（ｃ），図８参照）、グラフ表示画面８０についても、時間帯８３‥８４の部分を画面の横幅一杯に拡げたり、データを指定して波形を縦に拡大して表示しても良い。
上記実施例では、閾値ライン８５に対する超越や軌道状態変化９０における不正状態に基づいて強調部分８６や時間帯８３‥８４を決定するとき、単に各時刻の生の測定値や状態値を用いて判別していたが、単発的散発的なノイズの除去や、過敏な検出の回避抑制などのために、所定時間の局所平均や低次多項式での近似値などを用いて判別するようにしても良い。
【００８４】
上記実施例では、データセットアップの際など、表示位置指定の一操作で指定点に最も近い区間や軌道回路まで選出されるようになっていたが、これは一例であり、表示位置指定と表示対象物選出とを二操作に分けて指定するようになっていても良い。他の指定操作についても同様である。
上記実施例では、不平衡率Δαや不平衡耐量Δβの算出対象となるインピーダンスボンド３を不平衡表示位置データ６４を用いて探すようになっていたが、軌道回路規定データ５５を用いて探すようにしても良く、両者を併用しても良い。
【００８５】
上記実施例では、時刻合致プログラム２５による帰線電流解析装置１０の時計と帰線電流測定部４の時計との時刻合わせを帰線電流測定部４の測定実行より前に行うようになっていたが、測定前の時刻合わせを失念して行わなかったような場合には、電流測定データ取得プログラム２１が取得データの記録保存前に両時計の時間差だけ電流測定データ内の測定時刻情報を調整するようにしても良い。帰線電流測定部４による測定の前で時刻合わせが行われており、更に測定後に速やかに帰線電流測定部４が同じ帰線電流解析装置１０に接続されたような場合には、前後いずれでも時刻が一致するような一次式等を用いて、電流測定データ４１の時刻情報を修正するようにしても良い。
【００８６】
上記実施例では、ＺＢ識別情報として、境界位置データ５３の点名Ｐ０２，Ｐ０５，…等と、該境界から右側区間の上側軌条への流入電流Ｉ１１と該境界から右側区間の下側軌条への流入電流Ｉ１２と左側区間の上側軌条から該境界への流出電流Ｉ２１と左側区間の下側軌条から該境界への流出電流Ｉ２２とのうち何れか一つの電流名と、を組合わせたものを用いていたが、インピーダンスボンド３の識別番号等と一対のケーブルの識別記号等とを組み合わせてＺＢ識別情報としても良く、インピーダンスボンド３の各ケーブルに固有番号を割り振ってＺＢ識別情報としても良い。
【符号の説明】
【００８７】
２…レール（複条軌道の線路の各軌条）、３…インピーダンスボンド（ＺＢ）、
４…帰線電流測定部（携帯用データ記録装置）、５，６…電送手段、７…軌道回路部、
１０…帰線電流解析装置（コンピュータ）、
１１，１２…マウス、１３…キーボード、１４…画面（表示部）、
１５…画面イメージ（全体表示）、１６…画面イメージ（部分表示）、
２０…帰線電流解析プログラム、
２１…電流測定データ取得プログラム（電流測定データ取得手段）、
２２…データセットアッププログラム、
２３…軌道状態取得プログラム（軌道状態取得手段）、
２４…二次データ算出プログラム、２５…時刻合致プログラム、
３０…画面表示プログラム（画面表示手段）、３１…変動グラフ表示プログラム、
３２…表示タイプ選択プログラム（表示タイプ選択手段）、
３３…時間帯指定プログラム（時間帯指定手段）、３４…線路図表示プログラム、
４１…電流測定データ、４２…軌道状態データ、
４３…二次データ（二次物理量，不平衡率，不平衡耐量，対地総漏れ量）、
４４…表示時間データ（表示時刻：現時点，時間帯：始時点・終時点）、
５０…線路図データ、
５１…点位置データ、５２…線データ、
５３…境界位置データ、５４…区間データ、５５…軌道回路規定データ、
６０…表示位置データ、
６１…電流測定値表示位置データ、６２…軌道状態表示位置データ、
６３…対地総漏れ量表示位置データ、６４…不平衡表示位置データ、
７０…線路図表示画面、
７１…線路図、７２…タイムバー、７３…始時点、７４…終時点、７５…現時点、
８０…グラフ表示画面、８１…測定電流波形（変動グラフ）、８２…タイムバー
８３…始時点、８４…終時点、８５…閾値ライン、８６…強調部分、
８７…不平衡率波形（変動グラフ）、８８…不平衡耐量波形（変動グラフ）、
８９…対地総漏れ量波形（変動グラフ）、９０…軌道状態変化（変動グラフ拡張部）、
Ｉｍ…定格電流値、Δα…不平衡率、Δβ…不平衡耐量、ｉａ…対地総漏れ量
【図１】
0006674688.tif 000002
【図２】
0006674688.tif 000003
【図３】
0006674688.tif 000004
【図４】
0006674688.tif 000005
【図５】
0006674688.tif 000006
【図６】
0006674688.tif 000007
【図７】
0006674688.tif 000008
【図８】
0006674688.tif 000009
【図９】
0006674688.tif 000010
【図１０】
0006674688.tif 000011